(57)【特許請求の範囲】
【請求項１】
始点画像と終点画像の間に複数の経過画像を表示させ、前記始点画像から前記終点画像へ徐々に画像を移行させる画像表示に用いる画像表示制御方法であって、
前記始点画像と前記終点画像を所定の割合で合成して１以上の中間画像を生成する工程と、
前記始点画像の合成割合が多い中間画像から順に、該始点画像に続けて配置し、末尾の中間画像に続けて前記終点画像を配置した場合に、隣接する２つの画像を合成することにより前記複数の経過画像を生成する工程と
を備えたことを特徴とする画像表示制御方法。
【請求項２】
前記経過画像を生成する工程において、前記隣接する２つの画像の画像データＰｍ、Ｐｍ＋１に対し、
Ｐ[ｍ，ｍ＋１，ｎ]＝（１−（ｎ/Ｓ））*Ｐｍ＋（ｎ/Ｓ）*Ｐｍ＋１
（但し、Ｓ：画像表示における階調数、ｍ：０〜中間画像の画像数ｔまでの整数、Ｐ０：始点画像の画像データ、Ｐｔ＋１：終点画像の画像データ、ｎ：１〜（Ｓ−１）までの整数）
で表される経過画像の画像データを生成することを特徴とする請求項１に記載の画像表示制御方法。
【請求項３】
前記経過画像のうち、前記始点画像の合成割合が多い経過画像から順に表示する工程を有することを特徴とする請求項１又は２に記載の画像表示制御方法。
【請求項４】
始点画像と終点画像の間に複数の経過画像を表示させ、前記始点画像から前記終点画像へ徐々に画像を移行させる画像表示に用いる画像表示制御装置であって、
前記始点画像と前記終点画像を所定の割合で合成して１以上の中間画像を生成する中間画像生成手段と、
前記始点画像の合成割合が多い中間画像から順に、該始点画像に続けて配置し、末尾の中間画像に続けて前記終点画像を配置した場合に、隣接する２つの画像を合成することにより前記複数の経過画像を生成する経過画像生成手段と
を備えたことを特徴とする画像表示制御装置。
【請求項５】
前記経過画像生成手段は、前記隣接する２つの画像の画像データＰｍ、Ｐｍ＋１に対し、
Ｐ[ｍ，ｍ＋１，ｎ]＝（１−（ｎ/Ｓ））*Ｐｍ＋（ｎ/Ｓ）*Ｐｍ＋１
（但し、Ｓ：画像表示における階調数、ｍ：０〜中間画像の画像数ｔまでの整数、Ｐ０：始点画像の画像データ、Ｐｔ＋１：終点画像の画像データ、ｎ：１〜（Ｓ−１）までの整数）
で表される経過画像の画像データを生成することを特徴とする請求項４に記載の画像表示制御装置。
【請求項６】
前記経過画像のうち、前記始点画像の合成割合が多い経過画像から順に表示する表示手段を有することを特徴とする請求項４又は５に記載の画像表示制御装置。
【請求項７】
前記始点画像、前記中間画像、及び前記終点画像の画像データを記憶する記憶手段をさらに備え、
前記記憶手段はバンクメモリ方式になっていて、前記隣接する２つの画像の画像データは別個のバンクに記憶され、
前記経過画像生成手段は、各バンクから前記画像データをそれぞれ読み出して経過画像を生成することを特徴とする請求項４ないし６のいずれかに記載の画像表示制御装置。
【請求項８】
請求項１乃至３のいずれかに記載の画像表示制御方法をコンピュータに実行させるためのプログラムを記録したコンピュータ読取可能な記録媒体。
【発明の詳細な説明】
【０００１】
【発明の属する技術分野】
本発明は、始点画像から終点画像へ徐々に画像を移行させるディゾルブ表示等の画像表示に用いる画像表示制御方法及び装置、並びにコンピュータ読取可能な記録媒体に関する。
【０００２】
【従来の技術】
従来、始点画像から終点画像へ徐々に画像を移行させる、いわゆるディゾルブ表示は例えば図１１に示すようにして行われていた。まず、始点画像１２００と終点画像１６００の画像データを所定のメモリに蓄積する。次に、始点画像１２００の階調を徐々に低下させ、一方で終点画像１６００の階調を徐々に高くして両者を合成し、順次複数の経過画像１４００ａ〜１４００ｉを生成する。そして、生成した各経過画像を図示しない表示装置（Ｄ/Ａ変換器等）に送り、始点画像１２００と終点画像１６００の間に順に表示させる。ここで、図における階調は、もとの画像表示時における階調であり、画像表示装置（画像処理回路）の性能によって通常決まっている（この例では１０階調）。
【０００３】
ところで、ディゾルブ表示を滑らかに行うためには、各経過画像を高階調とする、つまり階調の異なる経過画像を多数個表示させる必要がある。例えば、１秒当り１６階調（１６個）以上の経過画像を表示すれば、人間の目には滑らかに映るといわれている。
【０００４】
【発明が解決しようとする課題】
しかしながら、上記した従来技術の場合、経過画像の階調(表示個数)を増やすためには、もとの画像の階調を増やす必要がある。例えば前記図１１において、もともとの画像の階調数は１０であり、経過画像は、始点画像と終点画像の階調数を１〜９の間で増減させて合成することにより得られる。そして、始点画像と終点画像の階調を加算した値は、もとの画像の階調数に等しくなっている。従って、もとの画像の階調を増やさない限り、９個（階調数−１）以上の経過画像を生成することはできない。
【０００５】
例えば、時間当りの経過画像数とその表示時間との関係を図１２に示すと、ディゾルブ表示をスムースに見せるためには、１秒当り１６階調（１６個）以上の経過画像を表示する必要があり、このため「設計限界」を１６枚／秒に設定する必要がある。これを確保するには、経過画像を増やすか、階調数を増やさなければならない。特に表示時間が長い場合において設計限界以上の画像数を得るためには、もとの画像の階調数を増やすことが必要となる。
【０００６】
ところが、もとの画像の階調数を増やすには、画像処理回路（デジタル回路）の実装規模を大きくしなければならず、その場合には画像処理の回路部全体が大きくなり、コストも増大するという不都合が生じる。又、画像処理の回路部の大きさに制限がある場合、階調数を増やすためにデジタル回路の規模を大きくすると、その分だけ画像データの蓄積メモリの大きさが犠牲となるという問題も生じる。
【０００７】
本発明は、上記した問題点に鑑みてなされたもので、始点画像と終点画像を合成した中間画像に基づいて経過画像を生成することで、もとの画像の階調数を増やさずにディゾルブ表示等の画像表示を高階調化できる画像表示制御方法及び装置を提供することを目的とする。
【０００８】
【課題を解決するための手段】
上記した目的を達成するために、本発明の画像表示制御方法は、始点画像と終点画像の間に複数の経過画像を表示させ、前記始点画像から前記終点画像へ除々に画像を移行させる画像表示に用い、前記始点画像と前記終点画像を所定の割合で合成して１以上の中間画像を生成する工程と、前記始点画像の合成割合が多い中間画像から順に、該始点画像に続けて配置し、末尾の中間画像に続けて前記終点画像を配置した場合に、隣接する２つの画像を合成することにより前記複数の経過画像を生成する工程とを備えたことを特徴とする。
【０００９】
又、本発明の画像表示制御方法は、前記経過画像を生成する工程において、前記隣接する２つの画像の画像データＰｍ、Ｐｍ＋１に対し、Ｐ[ｍ，ｍ＋１，ｎ]＝（１−（ｎ/Ｓ））*Ｐｍ＋（ｎ/Ｓ）*Ｐｍ＋１（但し、Ｓ：画像表示における階調数、ｍ：０〜中間画像の画像数ｔまでの整数、Ｐ０：始点画像の画像データ、Ｐｔ＋１：終点画像の画像データ、ｎ：１〜（Ｓ−１）までの整数）で表される経過画像の画像データを生成することを特徴とする。
【００１０】
前記経過画像のうち、前記始点画像の合成割合が多い経過画像から順に表示する工程を有することが好ましい。
【００１１】
本発明の画像表示制御装置は、前記画像表示に用い、前記中間画像を生成する中間画像生成手段と、前記隣接する２つの画像を合成することにより前記複数の経過画像を生成する経過画像生成手段とを備えたことを特徴とする。
【００１２】
又、本発明の画像表示制御装置は、前記経過画像生成手段が前記画像データＰｍ、Ｐｍ＋１に対し、Ｐ[ｍ，ｍ＋１，ｎ]＝（１−（ｎ/Ｓ））*Ｐｍ＋（ｎ/Ｓ）*Ｐｍ＋１で表される経過画像の画像データを生成することを特徴とする。
【００１３】
前記経過画像のうち、前記始点画像の合成割合が多い経過画像から順に表示する表示手段を有することが好ましい。
前記始点画像、前記中間画像、及び前記終点画像の画像データを記憶する記憶手段をさらに備え、前記記憶手段はバンクメモリ方式になっていて、前記隣接する２つの画像の画像データは別個のバンクに記憶され、前記経過画像生成手段は、各バンクから前記画像データをそれぞれ読み出して経過画像を生成することが好ましい。
【００１４】
本発明のコンピュータ読取可能な記録媒体は、前記画像表示制御方法をコンピュータに実行させるためのプログラムを記録したことを特徴とする。
【００１５】
【発明の実施の形態】
以下、本発明の実施の形態について、図を参照して説明する。図１は、本発明の画像表示制御装置１０の一実施の形態を示す構成ブロック図であり、複数の原画像データ（始点画像及び終点画像を含む）を格納する２次蓄積メモリ部２、画像データを所定のアドレスに格納する１次蓄積メモリ部４、制御部６、画像表示を行う表示部（Ｄ/Ａ変換器等）８を有して構成されている。１次蓄積メモリ部４は２バンクメモリとなっていて、第１のバンク４ａと第２のバンク４ｂを備えている。又、制御部６は、中間画像及び経過画像を生成する合成演算部６ａと、種々の制御を行う基本制御部６ｂを備えている。本発明における画像表示としては、始点画像が徐々に終点画像へ切り替わるディゾルブ表示の他、モノカラー（単一色）の始点画像から自然色の終点画像へ切り替わるフェードイン表示、自然色の始点画像からモノカラー（単一色）の終点画像へ切り替わるフェードアウト表示が挙げられる。なお、以下、ディゾルブ表示について説明するが、フェードイン表示、フェードアウト表示にも本発明を同様に適用可能である。
【００１６】
まず、本発明の画像表示制御における、中間画像の生成方法について、図２を参照して説明する。中間画像は、詳しくは後述する経過画像の生成の際に用いられるものである。この図において、始点画像１２と終点画像１６を所定の割合で合成して中間画像（１４ａ〜１４ｄ、１４’）を生成する。中間画像は、もとの画像の階調数に応じて、始点画像と終点画像の階調数を増減させたものを適宜合成して得られる。そして、始点画像と終点画像の階調を加算した値は、もとの画像の階調数に等しくなるように設定される。画像の合成は、画像データの各色（ＲＧＢ）毎に、階調数を増減させるための計数を乗じ、各画像データの対応するピクセル値を加算して合成画像データとすることで演算される。又、画像データは、各ＲＧＢ毎に通常８ビットの情報量を持っている。この画像合成は、後述する経過画像の生成の際にも同様にして行われる。
【００１７】
中間画像を生成する個数は特に制限はなく、１以上であればよい。又、中間画像の数が多いほど、合成される経過画像の枚数も増え、ディゾルブ表示（画像表示）を高階調化できるが、それに伴って画像処理数が増えて１次蓄積メモリの容量を増やす必要があるので、適宜中間画像の数を設定する。なお、図２において、もとの画像の階調数が１０の場合、始点画像と終点画像を合成する際のこれらの階調は１〜９のいずれかであり、図示したように、得られる中間画像の組合せは最大で９個となる。
【００１８】
一例として、中間画像を４個生成する場合、まず始点画像の階調を８とし、終点画像の階調を２として合成することにより第１の中間画像１４ａを生成し、以下、始点画像の階調を６、終点画像の階調を４として第２の中間画像１４ｂを、始点画像の階調を４、終点画像の階調を６として第３の中間画像１４ｃを、始点画像の階調を２、終点画像の階調を８として第４の中間画像１４ｄをそれぞれ生成する。又、例えば中間画像を１個生成する場合、始点画像の階調を５とし、終点画像の階調を５として合成することにより中間画像１４’を生成する。但し、始点画像と終点画像の階調は上記に限られるものではない。
【００１９】
次に、得られた中間画像を用いて経過画像を生成する手順の概要について、図３を参照して説明する。この図において、３個の中間画像（第１〜第３の中間画像）１４ａ〜１４ｃを用いた場合を考える。まず、始点画像１２の下に始点画像の合成割合が最も多い第１の中間画像１４ａを配置し、以下、始点画像の合成割合が多い順に第２の中間画像１４ｂ、第３の中間画像１４ｃを配置し、最後に終点画像１６を配置したとする（図３の上から下への方向）。
【００２０】
そして、このように配置した各画像１２、１４ａ〜１４ｃ、１６について、隣接する２つの画像を取り出して合成することにより、第１〜第４の経過画像２０〜２６を生成する。すなわち、始点画像１２と第１の中間画像１４ａにより合成演算１を行って第１の経過画像２０を生成し、第１の中間画像１４ａと第２の中間画像１４ｂにより合成演算２を行って第２の経過画像２２を、第２の中間画像１４ｂと第３の中間画像１４ｃにより合成演算３を行って第３の経過画像２４を、第３の中間画像１４ｃと終点画像１６により合成演算４を行って第４の経過画像２４をそれぞれ生成する。この場合、３つの中間画像を用いて、４組の経過画像が生成されることになる。
【００２１】
このように、本発明において、始点画像と終点画像の間にｔ個の中間画像を配した場合、隣接する２つの画像の組合せは（ｔ＋１）個となる。そして、各組合せに対して合成演算を行って経過画像を生成するので、経過画像は（ｔ＋１）組生成される。一方、従来のディゾルブ表示では、始点画像と終点画像という１つの組合せから１組の経過画像が生成されるにとどまる。従って、本発明では、もとの画像の階調を増やすことなく、経過画像の個数を従来の（ｔ＋１）倍に増やし、その分だけ画像表示（ディゾルブ表示等）を高階調にすることができる。
【００２２】
次に、経過画像を合成する方法について、図４を参照して詳細に説明する。なお、簡単のため中間画像１４を１個用いた場合を考える。この図において、始点画像１２と中間画像１４を合成して第１の経過画像２０を生成し（合成演算１）、中間画像１４と終点画像１６を合成して第２の経過画像２２を生成する（合成演算２）。各合成演算は、合成される一方の画像の階調数を１つ下げ、他の画像の階調数を１つ上げてゆくことで順次行われる。又、各画像の階調を加算した値は、もとの画像の階調数に等しくなるように設定される。これを数式化すると（１）式のようになる。
Ｐ［ｍ，ｍ＋１，ｎ］＝（１−（ｎ/Ｓ））*Ｐｍ＋（ｎ/Ｓ）*Ｐｍ＋１
（１）
（但し、Ｓ：画像表示における階調数、ｍ：０〜中間画像の画像数ｔまでの整数、Ｐ０：始点画像の画像データ、Ｐｔ＋１：終点画像の画像データ、ｎ：１〜（Ｓ−１）までの整数）
ここで、Ｐ［ｍ，ｍ＋１，ｎ］は、経過画像の画像データを示す。又、画像データＰｍ、Ｐｍ＋１は、始点画像に続けて始点画像の合成割合が多い中間画像を順に配置し、末尾の中間画像に続けて終点画像を配置した場合（図３の合成演算１〜４の手順を参照）の、隣接する２つの画像データを示す。
【００２３】
例えば、式（１）においてｍ＝０とおき、始点画像データＰ０、中間画像データＰ１を設定する。ここで、階調数Ｓ＝１０、中間画像数ｔ＝１であるので、始点画像データと中間画像データを合成してなる第１の経過画像データＰ［０，１，ｎ］は、
Ｐ［０，１，ｎ］＝（１−ｎ/１０）*Ｐ０＋ｎ/１０*Ｐ１        （２）
で表される。ここでｎは１〜９（Ｓ−１）までの整数であるので、Ｐ［０，１，ｎ］は全部で９個生成され、第１の経過画像１２も全部で９個（１２ａ〜１２ｉ）となる。
【００２４】
同様に、式（１）においてｍ＝１とおき、中間画像データＰ１、終点画像Ｐ２を設定する。中間画像データと終点画像データを合成してなる第２の経過画像データＰ［１，２，ｎ］は、
Ｐ［１，２，ｎ］＝（１−ｎ/１０）*Ｐ１＋ｎ/１０*Ｐ２        （３）
で表され、全部で９個の第２の経過画像２２（２２ａ〜２２ｉ）が得られる。
【００２５】
このようにして得られた各経過画像を順次表示することにより、始点画像１２と終点画像１６の間に、第１の経過画像２０ａ〜２０ｉ、第２の経過画像２２ａ〜２２ｉがこの順で表示され、始点画像から終点画像へ徐々に画像を移行させるディゾルブ表示（フェードイン表示、フェードアウト表示も同様）を行うことができる。ここで、第１の経過画像と第２の経過画像の表示順序としては、始点画像データの合成割合が高い第１の経過画像を先に表示するようにする。つまり、式（１）において、ｍの値の小さい経過画像データを先に表示する。
【００２６】
なお、上記した実施形態では、経過画像２０ｉと２２ａの間に中間画像１４を別に表示する必要があるが、例えば上記（２）式でｎ＝１０とするか、（３）式でｎ＝０とすれば経過画像に中間画像１４を含めることができる。又、ｎの値が大きくなれば経過画像の数も増えるので、必ずしも中間画像を表示させなくとも画像の品質上問題はない場合もある。従って、経過画像を生成する際、基本制御部６ｂでｎの値を０かＳを出発点とし、必要に応じて中間画像を生成するようにすればよい。
【００２７】
次に、本発明の画像表示制御における処理のフローについて、図５〜図８を参照して説明する。図５は中間画像を生成するフローを、図６は画像データを１次蓄積メモリ部へ格納する態様を、図７及び図８は経過画像を生成するフローをそれぞれ示す。又、以下の説明では、中間画像を１個用いる場合を想定する。
【００２８】
図５において、基本制御部６ｂは、２次蓄積メモリ部２から始点画像データＰ０と終点画像データＰ２を抽出し(ステップＳ１００）、１次蓄積メモリ部４の所定アドレスへ格納する(ステップＳ１１０)。基本制御部６ｂは、合成演算部６ａに対して始点画像データＰ０と終点画像データＰ２を合成演算するよう指令する(ステップＳ１２０)。この際、基本制御部６ｂは、始点画像データＰ０と終点画像データＰ２から中間画像を生成する際の合成割合、中間画像の生成個数に関する情報を格納しており、合成演算部６ａはその情報に従って合成演算を行う。ここで、合成演算部６ａは、同一の中間画像データを２つ生成する（Ｐ１、Ｐ１’）。次に、合成演算部６ａは、基本制御部６ｂの指示に従い、得られた中間画像データＰ１、Ｐ１’を１次蓄積メモリ部４の所定アドレスへ格納する(ステップＳ１３０)。
【００２９】
図６は、各画像データＰ０、Ｐ１、Ｐ１’、Ｐ２を１次蓄積メモリ部４に格納する態様を示す。この図において、合成演算１に用いる画像データＰ０、Ｐ１’は、それぞれ第１のバンク４ａと第２のバンク４ｂの上段に別個に格納される。同様に、合成演算２に用いる画像データＰ１、Ｐ２は、それぞれ第１のバンク４ａと第２のバンク４ｂの上段に別個に格納される。このようにすると、合成演算の際に別々のバンクから画像データを読み出すので、回路の特性上、演算処理の負担が軽減されるという利点がある。この場合、中間画像データは合成演算１、２のいずれにも必要となるので、２つの同一データＰ１、Ｐ１’を生成するようにしている。但し、演算処理速度があまり問題とならない場合には、例えば１次蓄積メモリ部４を単一バンクとし、始点画像データ、終点画像データ、及び中間画像データを各々１つずつ格納してもよい。
【００３０】
そして、これらの画像データに基づき、図７、図８のフローに従ってディゾルブ処理を行う。まず、図７において、基本制御部６ｂは、１次蓄積メモリ部４の各バンク（第１及び第２のバンク）４ａ、４ｂを読み出しモードとし（ステップＳ２００）、各バンク４ａ、４ｂに同一アドレス（図６の最上段のアドレス）を指定する（ステップＳ２１０）。ここで、回路実装上の問題から、各バンクで別々の開始アドレスを指定することは困難であるので、上述の如く同一アドレスの指定を行うようにしている。
【００３１】
そして、基本制御部６ｂは、指定されたアドレスに格納された画像データＰ０、Ｐ１’を同時に読み出し（ステップＳ２２０）、合成演算部６ａに対して合成演算１を行うよう指令する。合成演算部６ａは合成演算１を行い（ステップＳ２３０）、合成した画像データ（第１の経過画像データ）を表示部８へ転送する（ステップＳ２４０）。表示部８は受け取った画像データを第１の経過画像として順次表示する（ステップＳ２５０）。ここで、表示部の入力仕様に応じて、ステップＳ２２０では、通常は同時に複数画素分のデータを読み出す。例えば、表示部（Ｄ/Ａ変換器）の入力Ｉ/Ｏポートが１９２ビットである場合、１画素のビット構成が８×３＝２４ビット（ＲＧＢ）であるので、１９２／２４＝8画素分のデータをステップＳ２２０で読み出すようにする。なお、画像表示をデジタルで行う場合には、表示部としてＤ/Ａ変換器の代わりにＤＶＩ（Digital Visual Interface）等を用いる。
【００３２】
次いで、基本制御部６ｂは、経過画像データの生成個数が（Ｓ−１）になるまで、始点画像の階調数を１つ下げ、中間画像の階調数を１つ上げたディゾルブ処理（式（１）でｎを１から順に上げる）を順次繰り返し（ステップＳ２６０で「Ｎｏ」）、生成個数が（Ｓ−１）になった時点で処理を終了する（ステップＳ２６０で「Ｙｅｓ」）。このようにして、第１の経過画像の生成が終了する。この後、基本制御部６ｂは、バンク４ｂの中間画像データＰ１’を読み出して表示させてもよく、又、式（１）でｎ＝Ｓとして中間画像データを生成するようにしてもよい。
【００３３】
引き続き、図８に示すようにして、基本制御部６ｂは、中間画像と終点画像を合成して第２の経過画像を生成する。この図において、基本制御部６ｂは、まず各バンク４ａ、４ｂのアドレス指定を切り替え（ステップ３００）、指定されたアドレスに格納された画像データＰ１、Ｐ２を同時に読み出し（ステップＳ３１０）、合成演算部６ａに対して合成演算２を行うよう指令する。合成演算部６ａは合成演算２を行い（ステップＳ３２０）、合成した画像データ（第２の経過画像データ）を表示部８へ転送する（ステップＳ３３０）。表示部８は受け取った画像データを第２の経過画像として表示する（ステップＳ３４０）。基本制御部６ｂは経過画像の生成個数が（Ｓ−１）になるまで順次ディゾルブ処理を繰り返し（ステップＳ３５０で「Ｎｏ」）、生成個数が（Ｓ−１）になった時点で処理を終了する（ステップＳ３５０で「Ｙｅｓ」）。このようにして、第２の経過画像の生成が終了し、すべてのディゾルブ処理が完了する（ステップＳ３６０）。
【００３４】
なお、上記した実施形態では、中間画像を１個用いた場合に各画像データを１次蓄積メモリ部４に格納する態様について説明したが、中間画像を複数個用いる場合のメモリへの格納態様について、図９を参照して簡単に説明する。
【００３５】
この図において、中間画像を３個用いたとすると、各中間画像データを別々のバンク４ａ、４ｂに格納する必要から、まず、同一の中間画像データ（Ｐ１、Ｐ１’）、（Ｐ２、Ｐ２’）、（Ｐ３、Ｐ３’）が生成される。そして、第１のバンク４ａにはＰ０、Ｐ１、Ｐ２、Ｐ３が格納され、第２のバンク４ｂにはＰ１’、Ｐ２’、Ｐ３’、Ｐ４が格納される。この場合、合成演算１に用いる画像データＰ０、Ｐ１’は、それぞれ第１のバンク４ａと第２のバンク４ｂの上段に別個に格納される。同様に、合成演算２に用いる画像データＰ１、Ｐ２’は第１のバンク４ａと第２のバンク４ｂの上段に別個に格納される。以下、合成演算３に用いる画像データＰ２、Ｐ３’は第１のバンク４ａと第２のバンク４ｂの下段に別個に格納され、合成演算４に用いる画像データＰ３、Ｐ４は第１のバンク４ａと第２のバンク４ｂの下段に別個に格納される。そして、各合成演算の際に別々のバンクから画像データが読み出されることになる。なお、上記した２バンクメモリに限らず、３以上のバンクを有するメモリ方式を本発明に用いることもできる。
【００３６】
以上述べたように、本発明においては、もとの画像の階調数を高くする、つまり画像処理回路（デジタル回路）の実装規模（回路規模）を大きくすることなく、経過画像表示時の階調数を増やすことができる。図１０は、回路規模と経過画像表示時の階調数との関係を示す。従来の画像表示制御においては、階調数を増すためには回路規模を比例的に増大させる必要があるが、本発明の場合、合成演算部６ａの回路規模を従来の画像表示制御と同等のままとした場合であっても、階調数を従来の画像表示制御よりも大きくすることができる。例えば図１０のグラフから、本発明によれば６４個の回路規模において、４つの中間画像を使用する時、２５６階調の演算結果を算出することが可能である。これは図１０に表されるように、従来の画像表示制御が６４個の回路規模において得ることのできる階調数の約４倍に相当する。なお、階調数を増やすには中間画像の個数を多くすればよい。
【００３７】
なお、本発明の画像表示制御装置は、コンピューターと、そのコンピューターによって実行されるソフトウェアプログラムとによって実現することができ、上記装置内で実行されるソフトウェアプログラムは、コンピューター読み取り可能な記憶媒体あるいは通信回線を介して配布することが可能である。
【００３８】
【発明の効果】
以上説明したように、本発明によれば、、始点画像と終点画像を合成した中間画像に基づいて経過画像を生成することで、もとの画像の階調数を増やさずに経過画像の枚数を増やすことができ、ディゾルブ表示等の画像表示を高階調化することができる。つまり、ｔ個の中間画像を用いた場合、経過画像を生成するための２つの画像の組合せは（ｔ＋１）個となるので、経過画像を（ｔ＋１）組生成し、経過画像の枚数を従来の（ｔ＋１）倍に増やすことができる。
【図面の簡単な説明】
【図１】  本発明の画像表示制御装置の構成を示すブロック図である。
【図２】  中間画像の生成方法を示す模式図である。
【図３】  経過画像を生成する手順の概要を示す模式図である。
【図４】  経過画像の生成方法を示す模式図である。
【図５】  中間画像を生成するフローを示す図である。
【図６】  画像データを１次蓄積メモリ部へ格納する態様を示す図である。
【図７】  経過画像を生成するフローを示す図である。
【図８】  図７に続く図である。
【図９】  画像データを１次蓄積メモリ部へ格納する態様を示す別の図である。
【図１０】  回路規模と経過画像表示時の階調数との関係を示す図である。
【図１１】  従来のディゾルブ表示方法を示す図である。
【図１２】  従来のディゾルブ表示における、時間当りの経過画像数とその表示時間との関係を示す図である。
【符号の説明】
２                        ２次蓄積メモリ部
４                        １次蓄積メモリ部
４ａ                      第１のバンク
４ｂ                      第２のバンク
６                        制御部
６ａ                      合成演算部
６ｂ                      基本制御部
８                        表示部（Ｄ/Ａ変換器等）
１０                      画像表示制御装置
１２                      始点画像
１４、１４ａ、１４ｂ、１４ｃ、１４ｄ、１４’
中間画像
１６                      終点画像
２０、２２、２４、２６    経過画像
【図１】
0003701557.tif 000002
【図２】
0003701557.tif 000003
【図３】
0003701557.tif 000004
【図４】
0003701557.tif 000005
【図５】
0003701557.tif 000006
【図６】
0003701557.tif 000007
【図７】
0003701557.tif 000008
【図８】
0003701557.tif 000009
【図９】
0003701557.tif 000010
【図１０】
0003701557.tif 000011
【図１１】
0003701557.tif 000012
【図１２】
0003701557.tif 000013